(57)【要約】【課題】障子の装着作業及び取り外し作業における作業効率の向上を図ることができる障子の取付構造及び建具を提供すること。【解決手段】開口枠１０を構成する下枠部材１２にガラス窓２０を構成する下框部材２２を係合手段により係合させることにより、ガラス窓２０を開口枠１０に取り付けた取付構造において、係合手段は、下枠部材１２に形成された係合溝１７と、下框部材２２に形成され、かつ係合溝１７に進入する係合金具３０とを備えて成り、係合金具３０は、係合溝１７を構成する室外側縦壁部１７４に接してガラス窓２０が室外側に向けて下枠部材１２の見込方向に沿って移動することを規制する第１規制部３５１と、自身が係合溝１７を構成する上壁部１７３に当接した場合に、第１規制部３５１と室外側縦壁部１７４との接触部分を回動軸Ｌとしたガラス窓２０の回動を規制する第２規制部３５２とを備えている。【選択図】図１
2010127032.tif 000002
【特許請求の範囲】
【請求項１】
開口枠を構成する枠部材に障子を構成する框部材を係合手段により係合させることにより、前記障子を前記開口枠に取り付けた障子の取付構造において、
前記係合手段は、
前記框部材及び前記枠部材のいずれか一方に形成された係合溝と、
前記框部材及び前記枠部材のいずれか他方に形成され、かつ前記係合溝に進入する係合部材と
を備えて成り、
前記係合部材は、
前記係合溝を構成する一の壁部に接して前記障子が室内側及び室外側のいずれか他方に向けて前記枠部材の見込方向に沿って移動することを規制する第１規制片と、
自身が前記係合溝を構成する他の壁部に当接した場合に、前記第１規制片と前記一の壁部との接触部分を回動軸とした前記障子の回動を規制する第２規制片と
を備えたことを特徴とする障子の取付構造。
【請求項２】
前記第２規制片は、自身が前記係合溝の他の壁部に当接するまでは前記障子が前記回動軸の回りに回動することを許容する一方、自身が前記他の壁部に当接した場合に前記障子の回動を規制することを特徴とする請求項１に記載の障子の取付構造。
【請求項３】
前記第２規制片は、自身の基端が前記第１規制片の先端に連続する態様で該第１規制片に連結し、かつ前記第１規制片の延在方向に対し、前記室内側及び前記室外側のいずれか一方に向けて傾斜して形成されたことを特徴とする請求項１又は請求項２に記載の障子の取付構造。
【請求項４】
請求項１〜３のいずれか一つに記載の障子の取付構造を備えたことを特徴とする建具。
【発明の詳細な説明】
【技術分野】
【０００１】
本発明は、障子の取付構造及び建具に関し、より詳細には、障子を構成する框部材を開口枠の枠部材に係合手段を介して係合させて、障子を開口枠に取り付けた障子の取付構造、並びにこれを備えた建具に関するものである。
【背景技術】
【０００２】
従来、嵌め殺し窓（ＦＩＸ窓）と称されるような建具が知られている。この建具は、建物の躯体に設けられた開口枠に障子が取り付けられ、その後取り付けられた障子が仮固定を経て本固定されて装着されて成るものである。
【０００３】
開口枠は、躯体に形成された例えば矩形状の開口の上縁部、下縁部及び両側縁部に、上枠部材、下枠部材及び一対の縦枠部材がそれぞれ設置されて矩形の枠状に構成されたものである。障子は、上框部材、下框部材及び一対の縦框部材によって構成される矩形状の框の内部にガラス板等の面材が保持されて構成されたものである。
【０００４】
かかる障子は、例えば室外側から開口枠に進入し、下框部材に設けられたスペーサが下枠部材に設けられた嵌合溝部に嵌合することにより、下框部材が下枠部材に係合して下枠部材に載置された状態で取り付けられる。開口枠に取り付けられた障子は、開口枠を構成する各枠部材により室内側への移動が規制されており、更にスペーサが嵌合溝部の室外側縁部に当接して室外側への水平移動が規制されることから枠部材の見込方向（室内外方向）に沿った移動が規制されている。
【０００５】
このようにして取り付けられた障子は、上框部材に設けられた係止部が上枠部材に設けられた被係止部に係止されて開口枠に仮固定され、その後締結金具により框部材が枠部材に固定されて本固定されて装着される（例えば、特許文献１参照）。
【０００６】
【特許文献１】特開平７−１１９３５６号公報
【発明の開示】
【発明が解決しようとする課題】
【０００７】
ところで、上述したような建具において、開口枠に取り付けられた障子、すなわち開口枠に仮固定される前の状態の障子は、枠部材の見込方向に沿った移動が規制されているものの、スペーサと嵌合溝部の室外側縁部との接触部分を回動軸として室外側に向けて回動することは規制されておらず、必ずしも下框部材は下枠部材に十分に係合されているものとはいえず、結果として障子が開口枠に良好に取り付けられていなかった。そのため作業者は、障子を開口枠に装着する作業において開口枠に取り付けられた障子を仮固定する際、障子の姿勢に十分に注意して仮固定を行わなければならず、作業時間を必要以上に要し、作業効率に優れたものとはならなかった。
【０００８】
特に、一旦装着した障子の面材がその後に破損等して該障子を交換する場合には顕著であった。作業者は締結金具による固定を解除して障子を開口枠に仮固定された状態にした後、係止部と被係止部との係止状態を解除することになる。かかる係止状態が解除されると障子は開口枠に取り付けられた状態になるが、作業者は、障子の姿勢に十分に注意しながら開口枠から取り外す必要があり、作業時間の長大化を招来し、結果的に作業効率に優れたものとはならない。
【０００９】
本発明は、上記実情に鑑みて、障子の装着作業及び取り外し作業における作業効率の向上を図ることができる障子の取付構造及び建具を提供することを目的とする。
【課題を解決するための手段】
【００１０】
上記目的を達成するため、本発明は、開口枠を構成する枠部材に障子を構成する框部材を係合手段により係合させることにより、前記障子を前記開口枠に取り付けた障子の取付構造において、前記係合手段は、前記框部材及び前記枠部材のいずれか一方に形成された係合溝と、前記框部材及び前記枠部材のいずれか他方に形成され、かつ前記係合溝に進入する係合部材とを備えて成り、前記係合部材は、前記係合溝を構成する一の壁部に接して前記障子が室内側及び室外側のいずれか他方に向けて前記枠部材の見込方向に沿って移動することを規制する第１規制片と、自身が前記係合溝を構成する他の壁部に当接した場合に、前記第１規制片と前記一の壁部との接触部分を回動軸とした前記障子の回動を規制する第２規制片とを備えたことを特徴とする。
【００１１】
また、本発明に係る障子の取付構造は、前記第２規制片は、自身が前記係合溝の他の壁部に当接するまでは前記障子が前記回動軸の回りに回動することを許容する一方、自身が前記他の壁部に当接した場合に前記障子の回動を規制することを特徴とする。
【００１２】
また、本発明に係る障子の取付構造は、前記第２規制片は、自身の基端が前記第１規制片の先端に連続する態様で該第１規制片に連結し、かつ前記第１規制片の延在方向に対し、前記室内側及び前記室外側のいずれか一方に向けて傾斜して形成されたことを特徴とする。
【００１３】
また、本発明に係る建具は、上述した障子の取付構造のいずれか一つを備えたことを特徴とする。
【発明の効果】
【００１４】
本発明によれば、係合部材を構成する第１規制部が、係合溝を構成する一の壁部に接して障子が室内側及び室外側のいずれか他方に向けて枠部材の見込方向に沿って移動することを規制し、係合部材を構成する第２規制部が、自身が係合溝を構成する他の壁部に当接した場合に、障子が第１規制片と一の壁部との接触部分を回動軸として回動することを規制するので、障子が開口枠に取り付けられた状態では、障子が枠部材の見込方向に沿って移動することを規制するだけでなく、第１規制片と係合溝との接触部分を回動軸として回動することも規制している。よって、開口枠に取り付けられた状態にある障子を落下させてしまう虞れがない。
【００１５】
このように開口枠に取り付けられた障子を落下させてしまう虞れがないので、開口枠に取り付けられた状態にある障子を装着させる場合に、作業者は障子の姿勢に必要以上に注意しなくて良く、作業時間を短縮させることができる。また、一旦開口枠に装着した障子を交換する場合にも、開口枠に取り付けられた状態の障子を取り外す際に、作業者は障子の姿勢に必要以上に注意しなくて良く、作業時間を短縮させることができる。従って、障子の装着作業及び取り外し作業における作業効率の向上を図ることができるという効果を奏する。
【発明を実施するための最良の形態】
【００１６】
以下に添付図面を参照して、本発明に係る障子の取付構造及び建具の好適な実施の形態について詳細に説明する。
【００１７】
図１及び図２は、それぞれ本発明の実施の形態である障子の取付構造が適用された建具を示すものであり、図１は、障子が取り付けられる前の状態を示す縦断面図であり、図２は、障子が取り付けられた状態を示す縦断面図である。尚、これら図１及び図２、並びに以降の図においては、図面を見やすくするために主要な構成部材については断面を示すハッチングを適宜省略して示している。
【００１８】
ここで例示する建具は、開口枠１０に対してガラス窓（障子）２０を固定して装着したもので、特に「嵌め殺し窓（ＦＩＸ窓）」と称されるものである。嵌め殺し窓は、開口枠１０と、ガラス窓２０とを備えて構成してある。
【００１９】
開口枠１０は、建物の躯体１に設けてあり、上枠部材１１、下枠部材１２及び一対の縦枠部材１３によって矩形の枠状に構成したものである。上枠部材１１は、開口枠１０の上縁部を構成し、水平方向に沿って延在する長尺状のものである。この上枠部材１１は、上側室内部材１１ａと上側室外部材１１ｂとを備えている。
【００２０】
上側室内部材１１ａは、例えばアルミ材のような金属材を適宜加工して成り、開口枠１０により形成された開口２の周面を構成するものである。この上側室内部材１１ａは、躯体１にビス止め固定されており、詳細を図には明示していないが被係止部１４が設けてある。また上側室内部材１１ａには、室外側を臨む部位にシール材（気密材）１５ａが取り付けてある。
【００２１】
上側室外部材１１ｂは、例えばアルミ材のような金属材を適宜加工して成り、ビス止め固定されて躯体１から室外側に突出した状態で設けてある。この上側室外部材１１ｂには、室外側を臨む部位にシール材１５ｂが取り付けてある。尚、上側室外部材１１ｂと上側室内部材１１ａとの間には、図には明示していないが、例えばウレタン樹脂製の断熱部材が介在させてある。
【００２２】
下枠部材１２は、開口枠１０の下縁部を構成し、水平方向に沿って延在する長尺状のものである。この下枠部材１２は、下側室内部材１２ａと下側室外部材１２ｂとを備えている。
【００２３】
下側室内部材１２ａは、上側室内部材１１ａと同様に例えばアルミ材のような金属材を適宜加工して成り、開口枠１０により形成された開口２の周面を構成するものである。この下側室内部材１２ａは、躯体１にビス止め固定されており、室外側を臨む部位にシール材１６ａが取り付けてある。
【００２４】
下側室外部材１２ｂは、上側室外部材１１ｂと同様に例えばアルミ材のような金属材を適宜加工して成り、下側室内部材１２ａとの間に例えばウレタン樹脂製の断熱部材１２ｃを介在させて、ビス止め固定されて躯体１から室外側に突出した状態で設けてある。
【００２５】
この下側室外部材１２ｂには、係合溝１７が設けてある。係合溝１７は、下側室外部材１２ｂの延在方向（下枠部材１２の長手方向）に沿って形成された長尺状のものであり、下側室外部材１２ｂの上面に形成されたスリット開口１７１を通じて外部と連通している。
【００２６】
このような係合溝１７は、下壁部１７２、上壁部１７３及び縦壁部により構成してあり、縦壁部は、室外側に位置する室外側縦壁部１７４と室内側に位置する室内側縦壁部１７５とにより構成してある。下壁部１７２は、係合溝１７の底面を成すもので室内側縦壁部１７５に接合する部位から室外側縦壁部１７４に接合する部位に向けて漸次下方に傾斜する態様で延在している。上壁部１７３は、下側室外部材１２ｂの上面を構成し、かつ係合溝１７の天面を成すもので、室内側から室外側に向けて水平に延在している。この上壁部１７３は、室内側端部が室内側縦壁部１７５に接合しており、室外側端部が室外側縦壁部１７４と離間し、上記スリット開口１７１を形成している。また、上壁部１７３の室外側端部は肉厚に形成してある。このような下側室外部材１２ｂにおいても、室外側を臨む部位にシール材１６ｂが取り付けてある。
【００２７】
一対の縦枠部材１３は、開口枠１０の両側縁部を構成し、それぞれ上下方向に沿って延在する長尺状のものである。これら一対の縦枠部材１３においても、図には明示しないが、上枠部材１１及び下枠部材１２と同様に、開口枠１０により形成された開口２の周面を構成する室内部材、並びに躯体１から室外側に突出した状態で設けられた室外部材を備えている。また室内部材及び室外部材のそれぞれには、室外側を臨む部位にシール材が取り付けてあり、しかも室内部材と室外部材との間には断熱部材を介在させてある。尚、これら一対の縦枠部材１３は、それぞれの下端部が上記係合溝１７における両側部を覆っている。
【００２８】
ガラス窓２０は、上框部材２１、下框部材２２及び一対の縦框部材２３によって構成される矩形状の框の内部にガスケット２４を介して面材であるガラス板２５を保持して成るものである。
【００２９】
上框部材２１は、ガラス板２５の上端部を保持するものである。この上框部材２１には、係止片２１１が設けてある。係止片２１１は、上框部材２１の見込方向に沿って室内側に向けて突設してあり、詳細は後述するが、上枠部材１１を構成する上側室内部材１１ａの被係止部１４に係止するものである。
【００３０】
下框部材２２は、ガラス板２５の下端部を保持するものである。この下框部材２２には、係合金具（係合部材）３０が設けてある。係合金具３０は、鋼板を加工して形成したものであり、下框部材２２の下面にビス止め固定されて取り付けてある。ここで、係合金具３０は複数あり、下框部材２２の長手方向に所定間隔ごとに設けてあるものとする。
【００３１】
図３及び図４は、それぞれ図１及び図２に示した係合金具３０を示すものであり、図３は、係合金具３０を図１及び図２と同じ方向から見た場合を示す説明図であり、図４は、図３に示した係合金具３０を下方から見た場合を示す説明図である。係合金具３０は、下枠部材１２の係合溝１７とともに係合手段を構成し、下框部材２２にビス止め固定される基部３１を有している。基部３１には、ビスが貫通するための貫通孔３２が設けてある。この基部３１の室外側端部は下方に向けて屈曲されている。
【００３２】
一方、基部３１の室内側端部には２つの切欠３３が形成されて１つの舌片状の支持片３４と、２つの舌片状の係合片３５とが設けられている。支持片３４は、２つの係合片３５の間にあり、基部３１の室内側端部から下方に延在する垂下部３４１と、垂下部３４１の下端部から室内側に向けて下框部材２２の見込方向に沿って延在する水平部３４２とを有している。
【００３３】
係合片３５は、基部３１の室内側端部から下方に延在する第１規制部（第１規制片）３５１と、この第１規制部３５１の下端部から室内側に傾斜して延在する第２規制部（第２規制片）３５２とを有している。つまり、第２規制部３５２は、自身の基端が第１規制部３５１の先端に連続する態様で該第１規制部３５１に連結し、かつ第１規制部３５１の延在方向に対し、室内側に向けて傾斜して形成されている。一対の縦框部材２３は、ガラス板２５の両側縁部を保持するものである。
【００３４】
このような構成を有するガラス窓２０は、次のようにして開口枠１０に装着される。図１に示すように、開口枠１０に対し、下框部材２２が上框部材２１よりも室内側となるよう傾斜姿勢の状態にしたガラス窓２０を進入させ、スリット開口１７１を介して下框部材２２に設けた係合金具３０の係合片３５を係合溝１７に進入させる。
【００３５】
その後、ガラス窓２０を図１中の矢印方向に沿って室内側に向けて回動させ、図２に示すように下枠部材１２にガラス窓２０が載置された状態にする。この状態においては、ガラス窓２０を構成する各框部材２１，２２，２３が、開口枠１０を構成する枠部材１１，１２，１３に設けられたシール材１５ａ，１５ｂ，１６ａ，１６ｂに当接しており、ガラス窓２０が室内側に向けて移動することが規制されている。図５に拡大して示すように、下框部材２２に取り付けられた係合金具３０を構成する支持片３４の水平部３４２が下枠部材１２の上面に当接している。また係合金具３０の係合片３５の第１規制部３５１が、一部が係合溝１７のスリット開口１７１から上方に突出し、スリット開口１７１より下方側の部分が係合溝１７を構成する室外側縦壁部１７４に面接触しており、これにより下框部材２２が下枠部材１２に係合している。
【００３６】
つまり、図２に示すようにガラス窓２０が下枠部材１２に載置された状態は、下框部材２２の係合金具３０が下枠部材１２の係合溝１７に進入して下框部材２２が下枠部材１２に係合しており、しかも各框部材２１，２２，２３がシール材１５ａ，１５ｂ，１６ａ，１６ｂに当接して室内側への移動が規制されており、ガラス窓２０が開口枠１０に取り付けられた状態となっている。
【００３７】
かかる取付状態においては、係合金具３０を構成する係合片３５の第１規制部３５１の一部が係合溝１７の室外側縦壁部１７４に面接触していることから、ガラス窓２０が室外側に向けて水平方向、すなわち枠部材（下枠部材１２）の見込方向に沿って移動することも規制されている。
【００３８】
そして、開口枠１０に対して取り付けられた状態にあるガラス窓２０の係止片２１１と、上枠部材１１の被係止部１４とをワイヤー等の索状部材により、あるいは係止片２１１と被係止部１４との構造的関係により係止させて、ガラス窓２０を開口枠１０に仮固定させる。その後、ビス等の締結金具を用いて各框部材２１，２２，２３を各枠部材１１，１２，１３に固定させて本固定し、これによりガラス窓２０は開口枠１０に装着される。
【００３９】
ところで、上述したようなガラス窓２０が開口枠１０に取り付けられた状態においては、各框部材２１，２２，２３がシール材１５ａ，１５ｂ，１６ａ，１６ｂに当接することによりガラス窓２０の室内側への移動が規制されており、しかも係合片３５の第１規制部３５１の一部が係合溝１７の室外側縦壁部１７４に面接触していることからガラス窓２０の室外側に向けての枠部材の見込方向に沿っての移動が規制されている。そして、図６に示すように、そのような取付状態にあるガラス窓２０が何らかの作用により室外側に向けて倒れた場合、該ガラス窓２０は、係合片３５と室外側縦壁部１７４との接触部分、より詳細には室外側縦壁部１７４の上端部と係合片３５との接触部分を回動軸Ｌとして回動することになる。ガラス窓２０がそのように回動しても、第２規制部３５２が係合溝１７の上壁部１７３に当接することにより、ガラス窓２０がそれ以上室外側に向けて回動することが規制される。
【００４０】
つまり、第２規制部３５２は、自身が係合溝１７の上壁部１７３に当接するまではガラス窓２０が係合片３５と室外側縦壁部１７４との接触部分を回動軸Ｌの回りに回動することを許容する一方、自身が上壁部１７３に当接した場合には、ガラス窓２０が上記軸Ｌの回りに回動することを規制するものである。
【００４１】
これによりガラス窓２０が開口枠１０に取り付けられた状態では、係合金具３０が係合溝１７に進入して下框部材２２が下枠部材１２と係合することにより、ガラス窓２０は枠部材の見込方向に沿った室内外への移動が規制されているだけでなく、係合片３５と係合溝１７（室外側縦壁部１７４）との接触部分を回動軸Ｌとして回動することも規制されている。よって、開口枠１０に取り付けられた状態にあるガラス窓２０を落下させてしまう虞れがない。
【００４２】
以上説明したように本実施の形態であるガラス窓２０の取付構造によれば、開口枠１０に取り付けられたガラス窓２０を落下させてしまう虞れがないので、開口枠１０に取り付けられた状態にあるガラス窓２０を該開口枠１０に仮固定する場合に、作業者はガラス窓２０の姿勢に必要以上に注意しなくて良く、作業時間を短縮させることができる。また、一旦開口枠１０に装着したガラス窓２０のガラス板２５がひび割れ等により破損して該ガラス窓２０を交換する場合にも、仮固定状態を解除して開口枠１０に取り付けられた状態のガラス窓２０を取り外す際に、作業者はガラス窓２０の姿勢に必要以上に注意しなくて良く、作業時間を短縮させることができる。従って、ガラス窓２０の装着作業及び取り外し作業における作業効率の向上を図ることができる。
【００４３】
上記取付構造によれば、ガラス窓２０の室外側への枠部材１１，１２，１３の見込方向に沿った移動を規制する第１規制部３５１と、ガラス窓２０の室外側への回動を規制する第２規制部３５２とは、互いに連続して形成されて係合片３５を構成していることから、部品点数も必要以上に増大させることなく、製造コストの増大化を招来する虞れがない。
【００４４】
以上、本発明の好適な実施の形態について説明したが、本発明はこれに限定されるものではなく、種々の変更を行うことができる。
【００４５】
例えば上述した実施の形態では、係合手段を構成する係合溝１７が下枠部材１２に設けられ、係合金具３０が下框部材２２に設けられていたが、本発明では、係合溝（１７）が下框部材（２２）に設けられ、係合金具（３０）が下枠部材（１２）に設けられていてもよい。また、係合溝（１７）が下枠部材（１２）以外の枠部材、あるいは下框部材（２２）以外の框部材に設けられ、係合金具（３０）が下框部材（２２）以外の框部材、あるいは下枠部材（１２）以外の枠部材に設けられてもよい。
【００４６】
上述した実施の形態では、ガラス窓２０を室外側から開口枠１０に進入させて該開口枠１０に取り付ける場合を示したが、本発明では、障子（ガラス窓２０）を室内側から開口枠（１０）に進入させて該開口枠（１０）に取り付ける場合であってもよい。
【００４７】
上述した実施の形態では、第１規制部３５１と第２規制部３５２とが互いに連続する態様で設けてあったが、本発明では、第１規制片と第２規制片とは別個に設けられたものであっても良い。また、第１規制部３５１に対する第２規制部３５２の傾斜角は、特に定められるものではなく、適用されるガラス窓２０の大きさ等に応じて適宜定めてよい。
【００４８】
上述した実施の形態では、複数の係合金具３０を下框部材２２の長手方向に沿って所定間隔ごとに設けた場合について説明したが、本発明では、１つの係合金具（３０）を下框部材（２２）に設けただけでもよいし、あるいは係合金具（３０）は、下框部材（２２）の長手方向に沿って延在する長尺状のものであってもよい。
【産業上の利用可能性】
【００４９】
以上のように、本発明に係る障子の取付構造は、例えば嵌め殺し窓のような建具の製作に有用である。
【図面の簡単な説明】
【００５０】
【図１】本発明の実施の形態である障子の取付構造が適用された建具を示すものであり、障子が取り付けられる前の状態を示す縦断面図である。
【図２】本発明の実施の形態である障子の取付構造が適用された建具を示すものであり、障子が取り付けられた状態を示す縦断面図である。
【図３】図１及び図２に示した係合金具を示すものであり、図１及び図２と同じ方向から見た場合を示す説明図である。
【図４】図３に示した係合金具を下方から見た場合を示す説明図である。
【図５】図２の要部を拡大して示す拡大縦断面図である。
【図６】図２の要部を拡大して示す拡大縦断面図である。
【符号の説明】
【００５１】
１０      開口枠
１１      上枠部材
１１ａ      上側室内部材
１１ｂ      上側室外部材
１２      下枠部材
１２ａ      下側室内部材
１２ｂ      下側室外部材
１３      縦枠部材
１４      被係止部
１５ａ，１５ｂ，１６ａ，１６ｂ      シール材
１７      係合溝
１７１      スリット開口
１７２      下壁部
１７３      上壁部
１７４      室外側縦壁部
１７５      室内側縦壁部
２０      ガラス窓
２１      上框部材
２２      下框部材
２３      縦框部材
２５      ガラス板
３０      係合金具
３１      基部
３２      貫通孔
３４      支持片
３４１      垂下部
３４２      水平部
３５      係合片
３５１      第１規制部
３５２      第２規制部
Ｌ      回動軸
【図１】
2010127032.tif 000003
【図２】
2010127032.tif 000004
【図３】
2010127032.tif 000005
【図４】
2010127032.tif 000006
【図５】
2010127032.tif 000007
【図６】
2010127032.tif 000008